(57)【要約】【課題】補給扉が不正に解錠されることを阻止し不正行為の発生を未然に防止する。【解決手段】制御部１８の下方には、メダル補充用の遊技媒体貯留部３４と、遊技媒体貯留部３４の開口部３６を開閉する補給扉３０と、補給扉３０の施錠、解錠を行なうロック機構４０とが設けられている。ロック機構４０は、第１のロック機構６０と、第２のロック機構６２とを含んで構成されている。第１のロック機構６０は、補給扉３０の施錠および解錠を手動により行なうものである。第２のロック機構６２による補給扉３０の施錠は、補給扉３０で開口部３６を閉じることにより機械的に自動的に行なわれる。第２のロック機構６２による補給扉３０の解錠は、遠隔制御により電気アクチュエータ６４を作動させることで行なう。【選択図】図３
2018046896.tif 000002
【特許請求の範囲】
【請求項１】
遊技機に併設される遊技媒体貸出機であって、
筐体の正面に設けられた遊技媒体補給用の開口部と、
前記開口部を開閉する補給扉と、
前記補給扉を施錠、解錠するロック機構とを有し、
前記ロック機構は、前記補給扉の施錠および解錠を手動により行なう第１のロック機構と、前記補給扉の施錠を行なうと共に前記補給扉の解錠を、遠隔制御によりアクチュエータを作動させることで行なう第２のロック機構とを含んで構成されている、
ことを特徴とする遊技媒体貸出機。
【請求項２】
前記第２のロック機構による前記補給扉の施錠は、手動により行なわれ、あるいは前記補給扉で前記開口部を閉じることにより機械的に自動的に行なわれ、あるいは遠隔制御によりアクチュエータを作動させることで行なわれる、
ことを特徴とする請求項１記載の遊技媒体貸出機。
【請求項３】
前記開口部の上方で前記筐体の内部に、前記遊技媒体貸出機の制御を司る制御部が設けられ、
前記アクチュエータは、前記制御部に配置されている、
ことを特徴とする請求項１または２記載の遊技媒体貸出機。
【請求項４】
前記第２のロック機構は、係合部材を、前記補給扉側の被係合部材に係脱することで前記補給扉の施錠、解錠を行なうように構成され、
前記被係合部材は、前記係合部材に係脱可能な第１の位置と、前記係合部材に係脱不能な第２の位置との何れかの位置に選択的に取り付け可能に設けられている、
ことを特徴とする請求項１〜３の何れか１項記載の遊技媒体貸出機。
【発明の詳細な説明】
【技術分野】
【０００１】
本発明は、遊技機に併設される遊技媒体貸出機に関する。
【背景技術】
【０００２】
従来、遊技店には、スロットマシンのような遊技機が複数並べて配置されている。
そして、各遊技機に隣接してメダル（遊技媒体）の払い出しを行なう遊技媒体貸出機が併設されている。
遊技媒体貸出機は、筐体を備え、遊技者が貨幣を貨幣投入口に投入することで、あるいは、所定のカード媒体をカード挿入口に挿入することで、筐体内部の払い出しホッパによりメダルの払い出しを行なう。
このような遊技媒体貸出機として、遊技媒体貸出機の筐体の正面に設けられた遊技媒体補給用の開口部と、筐体に取着され開口部を開閉する補給扉とを備えるものが提供されている（特許文献１参照）。
補給扉は、所定のキーを用いた手動操作により施錠、解錠がなされており、遊技店の係員は、キーを用いて補給扉を解錠して補給扉を開いたのち、遊技媒体貯留部に遊技媒体を補給し、その後、補給扉を閉じて補給扉を施錠する。
【先行技術文献】
【特許文献】
【０００３】
【特許文献１】特開２０１６−１９５６１公報
【発明の概要】
【発明が解決しようとする課題】
【０００４】
しかしながら、係員以外の者に補給扉のキーが不正に入手された場合、補給扉が解錠され補給扉が開放されると、遊技媒体貯留部に手を入れて遊技媒体が抜き取られるなどの不正が行われることが懸念される。
本発明は、上記事情に鑑みなされたものであり、本発明の目的は、補給扉が不正に解錠されることを阻止し、遊技媒体が抜き取られるといった不正行為の発生を未然に防止する上で有利な遊技媒体貸出機を提供することにある。
【課題を解決するための手段】
【０００５】
上記目的を達成するために、請求項１記載の発明は、遊技機に併設される遊技媒体貸出機であって、筐体の正面に設けられた遊技媒体補給用の開口部と、前記開口部を開閉する補給扉と、前記補給扉を施錠、解錠するロック機構とを有し、前記ロック機構は、前記補給扉の施錠および解錠を手動により行なう第１のロック機構と、前記補給扉の施錠を行なうと共に前記補給扉の解錠を、遠隔制御によりアクチュエータを作動させることで行なう第２のロック機構とを含んで構成されていることを特徴とする。
請求項２記載の発明は、第２のロック機構による前記補給扉の施錠は、手動により行なわれ、あるいは前記補給扉で前記開口部を閉じることにより機械的に自動的に行なわれ、あるいは遠隔制御によりアクチュエータを作動させることで行なわれることを特徴とする。
請求項３記載の発明は、前記開口部の上方で前記筐体の内部に、前記遊技媒体貸出機の制御を司る制御部が設けられ、前記アクチュエータは、前記制御部に配置されていることを特徴とする。
請求項４記載の発明は、前記第２のロック機構は、係合部材を、前記補給扉側の被係合部材に係脱することで前記補給扉の施錠、解錠を行なうように構成され、前記被係合部材は、前記係合部材に係脱可能な第１の位置と、前記係合部材に係脱不能な第２の位置との何れかの位置に選択的に取り付け可能に設けられていることを特徴とする。
【発明の効果】
【０００６】
請求項１記載の発明によれば、ロック機構が、補給扉の施錠および解錠を手動により行なう第１のロック機構と、補給扉の解錠を、遠隔制御によりアクチュエータを作動させることで行なう第２のロック機構とを含んで構成されている。
したがって、補給扉が第１のロック機構および第２のロック機構の双方により施錠されるため、仮に係員以外の者が補給扉のキーを不正に入手して第１のロック機構の補給扉の解錠を行なえたとしても、第２のロック機構の補給扉の解錠を行なうことができない。
そのため、補給扉が不正に解錠されることを阻止し、遊技媒体が抜き取られるなどの不正行為の発生を未然に防止する上で有利となる。
請求項２記載の発明によれば、第２のロック機構による補給扉の施錠に様々な手段を採用でき、不正行為の発生を未然に防止する第２のロック機構の構造の簡単化、コストダウンを図る上で有利となる。
請求項３記載の発明によれば、制御部から電磁ソレノイドに駆動信号を伝達するための配線部材の長さが最短で済みコストを抑制することができ、また、制御部およびアクチュエータの保守作業を効率よく行なう上で有利となる。
また、開口部に接続する遊技媒体貯留部の容積を確保する上で有利となり、係員による遊技媒体の補給作業の効率化を図る上で有利となる。
請求項４記載の発明によれば、簡単な作業により第２のロック機構を有効化あるいは無効化できるため、遊技店の要求に対して複雑な作業を要すること無く柔軟に対応することができ、遊技媒体貸出機の商品価値を高める上で有利となる。
【図面の簡単な説明】
【０００７】
【図１】（Ａ）は実施の形態に係る遊技媒体貸出機の正面図、（Ｂ）は実施の形態に係る遊技媒体貸出機の側面図である。
【図２】開口部が補給扉で閉塞された状態を示す側面図であり、筐体の側板を一部省略した状態を示す。
【図３】第１、第２のロック機構を補給扉の正面から透視した状態で示す説明図である。
【図４】開口部が補給扉で閉塞された状態を示す縦断面図である。
【図５】（Ａ）は補給扉の平面図、（Ｂ）は補給扉の背面図、（Ｃ）は補給扉の側面図である。
【図６】（Ａ）は被係合部材の平面図、（Ｂ）は被係合部材の背面図、（Ｃ）は被係合部材の側面図である。
【図７】第２のロック機構が補給扉を施錠した状態を示す側面図である。
【図８】第２のロック機構が補給扉を解錠した状態を示す側面図である。
【図９】（Ａ）は被係合部材が第１の位置に位置した状態を補給扉の背面側から見た図、（Ｂ）は被係合部材が第２の位置に位置した状態を補給扉の背面側から見た図である。
【図１０】被係合部材が第２の位置に位置し第２のロック機構の係合部材が被係合部材に係合不能な状態を示す側面図である。
【図１１】筐体の側板にロック解除用の孔が形成された状態を示す側面図である。
【図１２】補給扉と制御部正面板との間にロック解除用のスリットが形成された状態を示す正面図である。
【発明を実施するための形態】
【０００８】
以下、本発明の実施の形態について添付図面を参照して説明する。
図１（Ａ）、（Ｂ）に示すように、遊技媒体貸出機１０は、遊技媒体を用いて遊技を行なう遊技機、例えば、スロットマシン等に併設される装置である。本実施の形態では、遊技媒体としてメダルを用いる場合について説明する。なお、遊技媒体は、メダルのような円板状の遊技媒体に限定されず、矩形板状、あるいは、多角形板状など、従来公知の様々な形状の遊技媒体が使用可能である。また、遊技機がパチンコ機の場合、遊技媒体はパチンコ玉である。
遊技媒体貸出機１０は、筐体１２と、筐体本体１４と、ビルバリユニット１６と、制御部１８と、払い出しホッパ２０と、ノズルシュート２２と、ノズル２４と、計数遊技媒体受け皿２６と、受け皿用蓋２８と、計数ホッパ２１とを含んで構成されている。
【０００９】
筐体本体１４は、縦長直方体形状を呈し、底板１４０２と、底板１４０２の両側から起立する一対の側板１４０４と、側板１４０４の上端を接続する天板１４０６とを含んで中空状に構成されている。
筐体本体１４の正面側の開口である正面開口部１４１０は複数の正面板で閉塞され、背面側の開口である背面開口部は複数の背面板で閉塞され、これにより筐体１２が構成される。
筐体１２の内部には、上から順番にビルバリユニット１６、制御部１８、払い出しホッパ２０、計数ホッパ２１が収納されている。
複数の正面板は、ビルバリユニット用正面板１６Ａ、制御部側正面板１８Ａ、補給扉３０、下部正面板３２を含んで構成されている。
【００１０】
ビルバリユニット１６は、遊技者が投入する貨幣を識別するものであり、正面開口部１４１０のうちビルバリユニット１６の正面側はビルバリユニット用正面板１６Ａで閉塞され、ビルバリユニット用正面板１６Ａには、貨幣を投入する貨幣投入口１６０２が設けられている。
制御部１８は、制御部筐体１８１０（図２参照）と、制御部筐体１８１０の内部に収容された制御部本体とを備え、制御部本体は、遊技媒体貸出機１０の各種制御を行なうものである。
正面開口部１４１０のうち制御部１８の正面側は制御部筐体１８１０と一体に形成された制御部側正面板１８Ａで閉塞され、制御部側正面板１８Ａには、カード挿入口１８０２、タッチパネル式モニタ１８０４が設けられている。
カード挿入口１８０２には、遊技者を識別する情報又はカード固有の識別情報が記録されたカードが挿入され、制御部１８によってカードの情報の読み取り、書き込みがなされる。
タッチパネル式モニタ１８０４には、払い出したメダル数、獲得したメダル数などの遊技者の遊技状況が制御部１８によって表示される。
【００１１】
ノズルシュート２２は、払い出しホッパ２０から払い出されたメダルを受け入れてノズル２４に導く部分であり、ノズルシュート２２は、下部正面板３２に一体に形成されている。
ノズル２４は、ノズルシュート２２から導かれたメダルを遊技機の下皿（不図示）に導くものであり、ノズルシュート２２に揺動可能に結合されたノズル本体２４０２と、ノズル本体２４０２の先端に設けられたノズルトップ２４０４とを含んで構成される。
【００１２】
正面開口部１４１０の下部には下部正面板３２が着脱可能に取着されており、補給扉３０で閉塞される正面開口部１４１０の部分の下方から正面開口部１４１０の下端までが下部正面板３２で閉塞される。したがって、払い出しホッパ２０や計数ホッパ２１は下部正面板３２で隠される。
計数ホッパ２１は、計数遊技媒体受け皿２６に投入されたメダルの枚数を計数するものであり、メダルの計数結果は制御部１８に伝達される。
下部正面板３２は、筐体１２の内部と反対に位置する正面３２０２を有し、この正面３２０２は筐体１２の正面を構成している。
計数遊技媒体受け皿２６は、下部正面板３２の正面３２０２でノズルシュート２２の上に設けられている。
【００１３】
図３、図４に示すように、制御部１８の下方には、メダル補充用の遊技媒体貯留部３４と、遊技媒体貯留部３４の開口部３６を開閉する補給扉３０と、補給扉３０の施錠、解錠を行なうロック機構４０とが設けられている。
遊技媒体貯留部３４は、遊技媒体補給用の開口部３６と、開口部３６に続き開口部３６に供給された遊技媒体を払い出しホッパ２０に導く補給路３８とを備えている。
開口部３６は、筐体正面で制御部側正面板１８Ａの下方に位置し、正面開口部１４１０の一部で構成されている。
図２、図４に示すように、遊技媒体貯留部３４の上方は貯留部上壁４２で仕切られており、詳細には、貯留部上壁４２により払い出しホッパ２０の上方空間の上方および補給路３８の上方が仕切られている。
貯留部上壁４２は、制御部１８が載置される底壁を構成している。
また、補給路３８の下方は補給路底壁で仕切られており、補給路底壁は、図４に示す底壁部材４４の底壁部４４０２により構成され、底壁部材４４は取り付け片４４０４を介して筐体１２に取着されている。
【００１４】
なお、遊技媒体貯留部３４は、払い出しホッパ２０の上方空間および補給路３８の補給路底壁の上方空間を含んで構成されている。そして、遊技店の係員が開口部３６から遊技媒体を補給する際に、払い出しホッパ２０は無論のこと払い出しホッパ２０の上方空間全域および補給路３８の補給路底壁の上方空間全域まで遊技媒体を充填する。すなわち、補給路３８は遊技媒体の貯留部としても機能するため、遊技媒体貯留部３４は補給路３８を含んで構成されている。
【００１５】
図４に示すように、補給扉３０は、底壁部材４４、ヒンジ４６を介して筐体１２に取着されている。
図４、図５（Ａ）〜（Ｃ）に示すように、補給扉３０は、開口部３６を閉塞した状態で、筐体１２の正面を構成する正面板４８と、正面板４８の左右両側から筐体本体１４の内部に向けて突設された左右の側板５０とを有している。
正面板４８は、開口部３６を閉塞した状態で最も外側に位置する化粧板４８０２と、化粧板４８０２の背面にねじで取着される正面板本体４８０４とで構成されている。
【００１６】
補給扉３０は、開口部３６を開放した全開状態と、図４に示すように、開口部３６を閉塞した閉塞状態との間で揺動する。
左右の側板５０の後端には、ヒンジ４６の支軸４６０２に対して放射方向に突出する係止突起５００２が設けられている。
係止突起５００２が、筐体本体１４の側板１４０４に取着されたストッパ１４２０に当接することで、補給扉３０は開口部３６の全開状態で係止される。
また、正面板本体４８０４が、開口部３６の上縁に当接することで、開口部３６は全閉状態となる。
【００１７】
なお、補給扉３０の左右の側板５０は、補給扉３０を開いた際に、補給扉３０の左右両端と筐体本体１４の一対の側板１４０４の前端縁との間に生ずる空隙を塞ぐことで、補給扉３０の上方から開口部３６に向けて遊技媒体の補給を円滑に行えるようにするためのものである。この左右の側板５０は、図２に示すように、補給扉３０を閉じると、補給路３８の両側に配置された筐体用側板部材１４３０と一対の側板１４０４との間に収容される。
【００１８】
図５（Ａ）〜（Ｃ）に示すように、正面板本体１４０４の背面には、後段の図７、図８にて説明する第２のロック機構６２の係合部材６８が係合する被係合部材５２が取着されている。
図６に示すように、被係合部材５２は、取り付け板部５４と、被係合部５６とを含んで構成されている。
取り付け板部５４は、上下の高さと左右の幅とを有する矩形板状を呈し、厚さ方向の一方の面が正面板本体１４０４の背面に重ね合わされる正面５４Ａとなっており、反対側の面が背面５４Ｂとなっている。
取り付け板部５４の正面５４Ａの幅方向の一側寄りの箇所には正面５４Ａ側に突出する位置決め凸部５４０２が形成され、取り付け板部５４の正面５４Ａの幅方向の他側寄りの箇所には上下に延在し厚さ方向に貫通するねじ挿通溝５４０４が形成されている。
取り付け板部５４の上縁から背面５４Ｂ側に起立する起立壁５８が設けられ、被係合部５６は、この起立壁５８の先端から上方に延在する壁部で構成されている。
被係合部５６は後述する第２のロック機構４０の係合部材６８が係合する箇所である。
【００１９】
また、正面板本体１４０４の不図示の位置決め孔は上下に間隔をおいて設けられた上側位置決め孔と下側位置決め孔との２つ設けられている。
したがって、被係合部材５２は、図９（Ａ）に示すように、位置決め凸部５４０２が不図示の上側位置決め孔に挿入された第１の位置Ｐ１と、図９（Ｂ）に示すように、位置決め凸部５４０２が不図示の下側位置決め孔に挿入された第２の位置Ｐ２との何れかの位置に選択的に取り付け可能に設けられている。
図５（Ａ）〜（Ｃ）に示すように、被係合部材５２は、取り付け板部５４の正面５４Ａを正面板本体１４０４の背面に重ね合わせた状態で、位置決め凸部５４０２が不図示の上側位置決め孔あるいは下側位置決め孔に挿入されると共に、ねじ挿通溝５４０４に挿通されたねじ５９が正面板本体１４０４の不図示のねじ孔に螺合することで正面板本体１４０４の背面に取着される。
なお、第１の位置Ｐ１は、被係合部５６を後述する第２のロック機構６２の係合部材６８に対して係脱可能とする位置であり、第２の位置Ｐ２は、被係合部５６を後述する第２のロック機構６２の係合部材６８に対して係脱不能とする位置である。
【００２０】
ロック機構４０は、図４に示す第１のロック機構６０と、図７、図８に示す第２のロック機構６２とを含んで構成されている。
第１のロック機構６０は、補給扉３０の施錠および解錠を手動により行なうものである。
図４、図５に示すように、第１のロック機構６０は、キーシリンダ６００２と、フック６００４と、係止片６００６とを含んで構成されている。
キーシリンダ６００２は、化粧板４８０２の上部と正面板本体４８０４の上部とにわたり貫通形成された孔４９に取着されている。
フック６００４は、キーシリンダ６００２の出力軸に設けられ、キーシリンダ６００２のキー孔に専用のキーが差し込まれて操作されることで回動する。
係止片６００６は、開口部３６の上縁に設けられ、すなわち、筐体１２側に設けられている。
すなわち、キーシリンダ６００２の操作によりフック６００４を回動させて係止片６００６に係脱させることで、第１のロック機構６０による補給扉３０の施錠、解錠がなされる。
【００２１】
図７、図８に示すように、第２のロック機構６２は、補給扉３０の施錠、解錠を第１のロック機構６０とは別に行なうものである。
第２のロック機構６２による補給扉３０の施錠は、手動によって行なうものであってもよく、あるいは、補給扉３０で開口部３６を閉じることにより機械的に自動的に行なわれるものであってもよく、あるいは、遠隔制御により電気アクチュエータ６４を作動させることで行なわれるものであってもよい。
本実施の形態では、第２のロック機構６２による補給扉３０の施錠が補給扉３０で開口部３６を閉じることにより機械的に自動的に行なわれる場合について説明する。
第２のロック機構６２による補給扉３０の解錠は、遠隔制御により電気アクチュエータ６４を作動させることで行なう。
【００２２】
より詳細に説明すると、第２のロック機構６２は、電気アクチュエータ６４と、リンク機構６６と、係合部材６８と、被係合部材５２とを含んで構成されている。
電気アクチュエータ６４は、遠隔制御によって作動するものであり、具体的には、制御部がリモートコントローラから解錠指令信号を受信すると、制御部１８が電気アクチュエータ６４に駆動信号を供給し、これにより電気アクチュエータ６４が作動する。
本実施の形態では、電気アクチュエータ６４は、直動式の電磁ソレノイド６４Ａで構成されており、電磁ソレノイド６４Ａは、コイル部６４０２と、コイル部６４０２に対して進退運動を行うプランジャ６４０４とを備えている。
なお、電気アクチュエータ６４としては、直動式の電磁ソレノイド６４Ａに限定されず、回転式の電磁ソレノイド６４Ａ、モータなどの電気アクチュエータ６４に加え空気アクチュエータ、油圧アクチュエータなどの従来公知の様々なアクチュエータが使用可能である。
【００２３】
例えばプランジャ６４０４は、不図示のコイルスプリングにより常時上方に向かって付勢されており、コイル部６４０２に駆動信号が供給されない非作動時には、コイル部６４０２から突出する進出位置に存在する。コイル部６４０２に駆動信号が供給された作動時には、プランジャ６４０４は、コイルスプリングの付勢力に抗してコイル部６４０２の内部に引きこまれた吸引位置に移動する。
電磁ソレノイド６４Ａは、制御部筐体１８１０の内部に収容され、言い換えると、制御部１８に配置されている。
制御部１８が筐体１２の内部に収容された状態で、電磁ソレノイド６４Ａは、貯留部上壁４２の直上に位置する制御部筐体１８１０の内部の箇所に配置され、本実施の形態では、制御部筐体１８１０の下部の前部で左側部寄りの箇所に配置されている。
電磁ソレノイド６４Ａは、制御部１８が筐体１２の内部に収容された状態でプランジャ６４０４の先端が制御部筐体１８１０の上方を向くように配置されている。
【００２４】
リンク機構６６は、電磁ソレノイド６４Ａと共に制御部筐体１８１０の内部に設けられている。
リンク機構６６は、プランジャ６４０４の先端に連結され、プランジャ６４０４の移動により係合部材６８を動かすものである。
リンク機構６６は、アーム７０と、スライド板７２とを含んで構成されている。
アーム７０は、制御部筐体１８１０の前後方向に延在する細長形状を呈し、アーム７０の後端が支軸７００２を介して制御部筐体１８１０に揺動可能に支持され、アーム７０の中間部がプランジャ６４０４の先端にピン７００４を介して連結され、アーム７０の前端がスライド板７２の上端にピン７００６を介して連結されている。
アーム７０は、図７に示すように、プランジャ６４０４の進出位置でアーム７０の前端が後端よりも上方に変位した傾斜位置となり、図８に示すように、プランジャ６４０４の吸引位置でアーム７０の前端が後端と同じ高さとなる水平位置となる。
【００２５】
スライド板７２は、制御部筐体１８１０の上下方向に延在する細長形状を呈し、制御部筐体１８１０に設けられた支持部材７４によって上下にスライド可能に支持されている。
スライド板７２の下端に対応する貯留部上壁４２の箇所には、スライド板７２の下端が挿通可能な孔部４２０２が形成されている。
スライド板７２は、図７に示すように、プランジャ６４０４の進出位置でアーム７０を介して上方に移動した状態となる。このときスライド板７２の下端７２０２は、制御部筐体１８１０の内部に位置し、言い換えると、スライド板７２の下端７２０２は貯留部上壁４２の上方に位置した退避位置となる。
スライド板７２は、図８に示すように、プランジャ６４０４が吸引位置に移動するとアーム７０を介して下方に移動し、スライド板７２の下端７２０２は、孔部４２０２を介して貯留部上壁４２の下方に突出する突出位置となる。
【００２６】
係合部材６８は、アーム部６８０２と、被当接部６８０４と、係合爪６８０６と、軸受部６８０８と、付勢部材６８１２とを含んで構成されている。
アーム部６８０２は、細長形状を呈し筐体１２の前後方向に延在している。
被当接部６８０４は、アーム部６８０２の後端に設けられ、孔部４２０２の下方に配置されている。
係合爪６８０６は、アーム部６８０２の前端に設けられ、補給扉３０の正面板本体４８０４の被係合部材５２に対して係脱可能に設けられている。
係合爪６８０６は、筐体１２の後方に向かうにつれて下方に変位する傾斜面６８０６Ａと、傾斜面６８０６Ａの後端から上方に延在する係合面６８０６Ｂとを備えている。
【００２７】
軸受部６８０８は、アーム部６８０２の中間部に設けられている。貯留部上壁４２から支持片４２１０が下方に突設され、この支持片４２１０に設けられた支軸６８１０が軸受部６８０８を挿通し、これにより係合部材６８は筐体１２に対して揺動可能に支持される。
係合部材６８は、図７に示すように、係合面６８０６Ｂが被係合部材５２の被係合部５６に係合する係合位置と、図８に示すように、係合面６８０６Ｂが被係合部材５２の被係合部５６から上方に退避した非係合位置との間で支軸６８１０を支点として揺動可能である。
【００２８】
付勢部材６８１２は、捻じりコイルばねで構成され、捻じりコイルばねの一端は支持片４２１０に係止し、他端はアーム部６８０２に係止している。
付勢部材６８１２は、係合部材６８が係合位置（図７）に存在するように係合部材６８を常時付勢している。
なお、係合爪６８０６と被係合部５６が離れた補給扉３０の開いた状態で、かつ、スライド板７２の下端７２０２が貯留部上壁４２の上方に離れたスライド板７２の退避位置に存在する状態において、係合部材６８は付勢部材６８１２に付勢されて被当接部６８０４が貯留部上壁４２に当接した状態の、係合待機位置に存在する。
この係合待機位置において係合爪６８０６は、係合面６８０６Ｂが被係合部材５２の被係合部５６に係合する係合位置よりも僅かに下方に位置している。
【００２９】
第２のロック機構６２による施錠は、以下のようになされる。
補給扉３０の被係合部材５２が第１の位置Ｐ１に設定されており、また、補給扉３０が全開状態にあるものとする。
プランジャ６４０４は、電磁ソレノイド６４Ａに駆動信号が供給されていないために進出位置に存在している。これによりアーム７０が傾斜位置でスライド板７２の下端７２０２が退避位置に存在している。このときスライド板７２の下端７２０２は被当接部６８０４の上方において離れた状態となっており、係合部材６８は付勢力によって係合待機位置に存在している。
補給扉３０を閉塞方向に向かって揺動させると、補給扉３０側の被係合部材５２の被係合部５６が係合部材６８の係合爪６８０６の傾斜面６８０６Ａに当接し、付勢部材６８１２の付勢力に抗して係合爪６８０６が係合待機位置から上方に変位する。
補給扉３０のさらなる揺動により補給扉３０が全閉状態となると同時に、被係合部５６が係合爪６８０６の傾斜面６８０６Ａを乗り越える。被係合部５６が係合爪６８０６の傾斜面６８０６Ａを乗り越えた後には、付勢部材６８１２の付勢力により係合爪６８０６が下方に変位して係合爪６８０６が係合位置に移動する。このとき、係合爪６８０６の係合面６８０６Ｂに被係合部５６が係合した状態となり、図７に示すように、第２のロック機構６２による補給扉３０の施錠がなされる。
したがって、第２のロック機構６２による補給扉３０の施錠は、補給扉３０で開口部３６を閉じることにより機械的に自動的に行なわれる。
【００３０】
第２のロック機構６２による解錠は、以下のようになされる。
図７に示すように、補給扉３０側の被係合部材５２が第１の位置Ｐ１に設定されており、また、補給扉３０が全閉状態にあるものとする。
補給扉３０が開口部３６を閉塞した閉塞状態で、リモートコントローラを用いて制御部１８に解錠指令信号が送信されると、制御部１８により駆動信号が電磁ソレノイド６４Ａに供給され、プランジャ６４０４が進出位置から吸引位置へと移動する。この動作により、アーム７０が水平位置まで回動して、スライド板７２の下端７２０２が突出位置に移動する。すると、スライド板７２の下端７２０２が被当接部６８０４を下方に押圧する。被当接部６８０４が下方に押圧されると、図８に示すように、係合部材６８は付勢力に抗して揺動して、係合爪６８０６が上方に退避して非係合位置に移動するので、係合爪６８０６と被係合部５６との係合が解除される。
したがって、第２のロック機構６２による補給扉３０の解錠は、遠隔制御によってなされる。
【００３１】
なお、図１０に示すように、補給扉３０側の被係合部材５２を第２の位置Ｐ２に設定した状態では、係合部材６８が係合位置に移動しても、係合爪６８０６と補給扉３０側の被係合部材５２の被係合部５６とが上下方向に離間しているため、係合爪６８０６と被係合部５６と係合はなされない。
したがって、第２のロック機構６２による補給扉３０の施錠が不能となり、第２のロック機構６２の機能が無効化される。この場合は、第１のロック機構６０を用いた補給扉３０の施錠、解錠のみが可能となる。
【００３２】
次に、第１のロック機構６０および第２のロック機構６２を併用した場合の補給扉３０の施錠について説明する。
遊技店の係員による遊技媒体の遊技媒体貯留部３４への補充作業が終了すると、係員は、補給扉３０を閉塞方向に向かって揺動させる。
すると、前述したように、補給扉３０の揺動により、第２のロック機構６２による補給扉３０の施錠が機械的に自動的になされる。
さらに、係員がキーをキーシリンダ６００２のキー孔に挿入して回動させることによりフック６００４が回動して係止片６００６に係合し、第１のロック機構６０による補給扉３０の施錠がなされる。
このように第１、第２のロック機構６０、６２の双方により補給扉３０の施錠がなされ補給扉３０は２重ロックされることになる。
【００３３】
次に、第１のロック機構６０および第２のロック機構６２を併用した場合の補給扉３０の解錠について説明する。
まず、係員は、遊技媒体の遊技媒体貯留部３４への補充作業を行なうに先立ってリモートコントローラを用いて制御部１８に解錠指令信号を送信する。
これにより、前述したように第２のロック機構６２による補給扉３０の解錠がなされる。
次いで、係員がキーをキーシリンダ６００２のキー孔に挿入して回動させることによりフック６００４が回動して係止片６００６との係合が解除され、第１のロック機構６０による補給扉３０の解錠がなされる。
なお、第１のロック機構６０による解錠を先に行ない、次いで第２のロック機構６２による解錠を行っても良い。
このように第１、第２のロック機構６０、６２の双方により補給扉３０の解錠がなされ補給扉３０は２重ロックが解除されることになる。
【００３４】
本実施の形態では、ロック機構４０が、補給扉３０の施錠および解錠を手動により行なう第１のロック機構６０と、補給扉３０の解錠を、遠隔制御により電気アクチュエータ６４を作動させることで行なう第２のロック機構６２とを含んで構成されている。
したがって、補給扉３０が第１のロック機構６０および第２のロック機構６２の双方により施錠されるため、仮に遊技店の係員以外の者が補給扉３０のキーを不正に入手して第１のロック機構６０の補給扉３０の解錠を行なえたとしても、第２のロック機構６２の補給扉３０の解錠を行なうことができない。
また、第２のロック機構６２の解錠は、遠隔制御によって行なうため、不正を行おうとする者が第２のロック機構６２の解錠を行なうことは不可能である。
そのため、補給扉３０が不正に解錠されることを阻止し、遊技媒体が抜き取られるなどの不正行為の発生を未然に防止する上で有利となる。
【００３５】
また、本実施の形態では、第２のロック機構６２による補給扉３０の施錠は、補給扉３０で開口部３６を閉じることにより機械的に自動的に行なわれるようにしたが、第２のロック機構６２による補給扉３０の施錠は、手動により行なわれるようにしてもよく、あるいは、遠隔制御により電気アクチュエータ６４を作動させることで行なわれるようにしてもよい。
しかしながら、本実施の形態のように補給扉３０で開口部３６を閉じることにより補給扉３０の施錠が機械的に自動的に行なわれるようにすると、補給扉３０を施錠する際の操作が簡単となり、遊技媒体の補給作業の効率化を図る上でより有利となる。
【００３６】
また、本実施の形態では、開口部３６の上方で筐体１２の内部に、遊技媒体貸出機１０の制御を司る制御部１８が設けられ、電気アクチュエータ６４を構成する電磁ソレノイド６４Ａが制御部１８に配置されている。
したがって、制御部１８から電磁ソレノイド６４Ａに駆動信号を伝達するための配線部材の長さが最短で済みコストを抑制することができ、また、制御部１８および電磁ソレノイド６４Ａの保守作業を効率よく行なう上で有利となる。
なお、遊技媒体は、上述のように遊技媒体貯留部３４が満杯となるまで補充されがちであり、したがって、遊技媒体貯留部３４に充填された遊技媒体の圧力が閉塞された補給扉３０に加わることが多い。
そのため、第２のロック機構６２を構成する係合部材６８の係合爪６８０６と補給扉３０側の被係合部材５２の被係合部５６との間にも荷重が加わる。
したがって、このような荷重に抗して係合部材６８を揺動させるに足る大きな駆動力の電磁ソレノイド６４Ａは、外形が大きなものとなる。
このように外形が大きい電磁ソレノイド６４Ａを遊技媒体貯留部３４に配置すると、遊技媒体貯留部３４の容積が減ってしまうが、本実施の形態のように、電磁ソレノイド６４Ａを制御部１８に配置すれば、遊技媒体貯留部３４の容積を確保する上で有利となり、一度の補給作業でより多くの遊技媒体を補給でき、係員による遊技媒体の補給作業の効率化を図る上で有利となる。
【００３７】
また、本実施の形態では、被係合部材５２は、係合部材６８に係脱可能な第１の位置Ｐ１と、係合部材６８に係脱不能な第２の位置Ｐ２との何れかの位置に選択的に取り付け可能に設けられている。
したがって、遊技店の事情によって第１のロック機構６０のみを使用して、第２のロック機構６２は使用しないといった要求がある場合に、被係合部材５２を第２の位置Ｐ２に取り付けるといった簡単な作業により第２のロック機構６２を無効化することができる。
また、遊技店の事情によって第２のロック機構６２を追加したいという要求がある場合には、被係合部材５２を第１の位置Ｐ１に取り付けるといった簡単な作業により第２のロック機構６２を有効化することができる。
そのため、遊技店の要求に対して複雑な作業を要すること無く柔軟に対応することができ、遊技媒体貸出機の商品価値を高める上で有利となる。
【００３８】
なお、第２のロック機構６２により補給扉３０が施錠された状態で制御部１８が故障するなどしてリモートコントローラによる遠隔制御が不能となると、補給扉３０を開くことができなくなる。このような場合に補給扉３０を開くために以下の様な構成を設けておくことが考えられる。
すなわち、図１１に示すように、係合部材６８に近接した筐体本体１４の側板１４０２の箇所にロック解除用の孔１４２０を設け、あるいは、図１２に示すように、開口部３６の上縁のうち係合部材６８に近接した箇所にロック解除用のスリット１４２２を設けておくことが考えられる。
この場合、孔１４２０あるいはスリット１４２２からロッドを挿入し、ロッドの先端で係合部材６８を操作して係合部材６８と被係合部材５２との係合を解除し、第２のロック機構６２を強制的に解錠すればよい。
【符号の説明】
【００３９】
１０  遊技媒体貸出装置
１２  筐体
１８  制御部
１８１０  制御部筐体
３０  補給扉
３６  開口部
４０  ロック機構
５２  被係合部材
６０  第１のロック機構
６２  第２のロック機構
６４  電気アクチュエータ
６８  係合部材６
【図１】
2018046896.tif 000003
【図２】
2018046896.tif 000004
【図３】
2018046896.tif 000005
【図４】
2018046896.tif 000006
【図５】
2018046896.tif 000007
【図６】
2018046896.tif 000008
【図７】
2018046896.tif 000009
【図８】
2018046896.tif 000010
【図９】
2018046896.tif 000011
【図１０】
2018046896.tif 000012
【図１１】
2018046896.tif 000013
【図１２】
2018046896.tif 000014